(57)【要約】      （修正有）【課題】直管形ランプを確実に保持し、脱落を防止すると共に、直管形ランプの照射方向を自在に設定でき、また、直接照明、間接照明、半間接照明の切り替えを簡単に行えるようにした直管形ランプ支持装置を提供する。【解決手段】ライティングレールに取り付けられて直管形ランプ１６の両端部を支持する一対の支持具１を有し、一対の支持具１は、ライティングレールに取り付けられ、ライティングレール内の線状導体から集電を行うプラグ３と、プラグ３の下面に取り付けられたアーム部材４とを有する。さらに、アーム部材４に取り付けられ、直管形ランプ１６の口金１６ｂを正逆回転可能に保持する複数のホルダー５と、プラグ３にリード線６を介して接続され、ホルダー５に支持された直管形ランプ１６の端子ピン１６ｃに抜き差し自在に差し込まれると共に、直管形ランプ１６と一緒に正逆回転可能な複数のソケット７とをそれぞれ備えている。【選択図】図３
0003179168.tif 000002
【実用新案登録請求の範囲】
【請求項１】
天井や壁面に照明の給電用に敷設したライティングレール（１５）に移動自在且つ着脱自在に取り付けられ、給電用のライティングレール（１５）に電気的に接続されて複数本の直管形ランプ（１６）を支持するライティングレール用直管形ランプ支持装置であって、前記ライティングレール用直管形ランプ支持装置は、ライティングレール（１５）に取り付けられて複数本の直管形ランプ（１６）の両端部を支持する一対の支持具（１）から構成されており、一対の支持具（１）は、ライティングレール（１５）に移動自在且つ着脱自在に取り付けられ、ライティングレール（１５）内に設けた線状導体（１５ｄ）から集電を行うプラグ（３）と、プラグ（３）の下面にライティングレール（１５）に直交する姿勢で取り付けられたアーム部材（４）と、アーム部材（４）に取り付けられ、直管形ランプ（１６）の口金（１６ｂ）を正逆回転可能に保持する複数のホルダー（５）と、プラグ（３）にリード線（６）を介して接続され、ホルダー（５）に支持された直管形ランプ（１６）の端子ピン（１６ｃ）に抜き差し自在に差し込まれると共に、直管形ランプ（１６）と一緒に正逆回転可能な複数のソケット（７）とをそれぞれ備えていることを特徴とするライティングレール用直管形ランプ支持装置。
【請求項２】
天井や壁面に照明の給電用に敷設したライティングレール（１５）に移動自在且つ着脱自在に取り付けられ、給電用のライティングレール（１５）に電気的に接続されて一本の直管形ランプ（１６）を支持するライティングレール用直管形ランプ支持装置であって、前記ライティングレール用直管形ランプ支持装置は、ライティングレール（１５）に取り付けられて一本の直管形ランプ（１６）の両端部を支持する一対の支持具（１）から構成されており、一対の支持具（１）は、ライティングレール（１５）に移動自在且つ着脱自在に取り付けられ、ライティングレール（１５）内に設けた線状導体（１５ｄ）から集電を行うプラグ（３）と、プラグ（３）の下面側に取り付けられ、直管形ランプ（１６）の口金（１６ｂ）を正逆回転可能に保持するホルダー（５）と、プラグ（３）にリード線（６）を介して接続され、ホルダー（５）に支持された直管形ランプ（１６）の端子ピン（１６ｃ）に抜き差し自在に差し込まれると共に、直管形ランプ（１６）と一緒に正逆回転可能なソケット（７）とをそれぞれ備えていることを特徴とするライティングレール用直管形ランプ支持装置。
【請求項３】
一対の支持具（１）は、ホルダー（５）及びソケット（７）の前面以外を覆うカバー体（８）を備えており、当該カバー体（８）は、支持具（１）に対して着脱自在になっていることを特徴とする請求項１又は請求項２に記載のライティングレール用直管形ランプ支持装置。
【請求項４】
一対の支持具（１）は、連結杆（２）で対向状に連結されており、一対の支持具（１）の間隔は対向するホルダー（５）で直管形ランプ（１６）の両端部の口金（１６ｂ）を保持できる間隔に設定されていることを特徴とする請求項１、請求項２又は請求項３に記載のライティングレール用直管形ランプ支持装置。
【請求項５】
天井や壁面に照明の給電用に敷設したライティングレール（１５）に移動自在且つ着脱自在に取り付けられ、給電用のライティングレール（１５）に電気的に接続されて複数本の直管形ランプ（１６）を支持するライティングレール用直管形ランプ支持装置であって、前記ライティングレール用直管形ランプ支持装置は、複数本の直管形ランプ（１６）の両端部を支持する一対の支持具（１）と、一対の支持具（１）を対向状に連結する連結杆（２）と、連結杆（２）に設けられ、ライティングレール（１５）に移動自在且つ着脱自在に取り付けられてライティングレール（１５）内に設けた線状導体（１５ｄ）から集電を行う一つ又は二つのプラグ（３）とから構成されており、一対の支持具（１）は、連結杆（２）にライティングレール（１５）に直交する姿勢で取り付けられたアーム部材（４）と、アーム部材（４）に取り付けられ、直管形ランプ（１６）の口金（１６ｂ）を正逆回転可能に保持する複数のホルダー（５）と、プラグ（３）にリード線（６）を介して接続され、ホルダー（５）に支持された直管形ランプ（１６）の端子ピン（１６ｃ）に抜き差し自在に差し込まれると共に、直管形ランプ（１６）と一緒に正逆回転可能な複数のソケット（７）とをそれぞれ備えていることを特徴とするライティングレール用直管形ランプ支持装置。
【請求項６】
連結杆（２）の中間部上面にプラグ（３）を一つ旋回自在に取り付けたことを特徴とする請求項５に記載のライティングレール用直管形ランプ支持装置。
【請求項７】
ホルダー（５）は、弾性を有する合成樹材により開閉自在に構成されており、アーム部材（４）又はプラグ（３）の下面側に着脱自在に取り付けられる基台（５ａ）と、基台（５ａ）の両端部に連設された一対の支持片（５ｂ）と、一対の支持片（５ｂ）の先端部に揺動自在に連設され、直管形ランプ（１６）の口金（１６ｂ）の外周面に沿う円弧状に形成された一対の円弧部（５ｃ）と、一方の円弧部（５ｃ）の先端部外面に形成した係止爪（５ｄ）と、他方の円弧部（５ｃ）の先端部内面に形成され、前記係止爪（５Ｄ）が係脱自在に係止される複数の係止溝（５ｅ）とを備えており、直管形ランプ（１６）の口金（１６ｂ）を一対の円弧部（５ｃ）間に挿入して前記口金（１６ｂ）で一対の円弧部（５ｃ）の基端部側を押すと、一対の円弧部（５ｃ）がその先端部同士が近接する方向へ揺動し、一方の円弧部（５ｃ）に形成した係止爪（５ｄ）が他方の円弧部（５ｃ）に形成した係止溝（５ｅ）に係止されてホルダー（５）が閉じた状態となり、一対の円弧部（５ｃ）で直管形ランプの口金（１６ｂ）を保持するようにしたことを特徴とする請求項１、請求項２、請求項３、請求項４又は請求項５に記載のライティングレール用直管形ランプ支持装置。
【請求項８】
ライティングレール用直管形ランプ支持装置は、複数本の直管形ランプ（１６）の中間部分を保持する中間ホルダー（１７）を備えており、当該中間ホルダー（１７）は、ライティングレール（１５）に移動自在且つ着脱自在に取り付けられる取り付け部（１８）と、取り付け部（１８）に取り付けたアーム部（１９）と、アーム部（１９）に取り付けられ、複数本の直管形ランプ（１６）の中間部を着脱自在に保持する複数の保持部（２０）とから成ることを特徴とする請求項１又は請求項５に記載のライティングレール用直管形ランプ支持装置。
【請求項９】
ライティングレール用直管形ランプ支持装置は、一本の直管形ランプ（１６）の中間部分を保持する中間ホルダー（１７）を備えており、当該中間ホルダー（１７）は、ライティングレール（１５）に移動自在且つ着脱自在に取り付けられる取り付け部（１８）と、取り付け部（１８）に取り付けられ、一本の直管形ランプ（１６）の中間部を着脱自在に保持する保持部（２０）とから成ることを特徴とする請求項２に記載のライティングレール用直管形ランプ支持装置。
【請求項１０】
ライティングレール用直管形ランプ支持装置は、一対の支持具（１）の間隔を、対向するホルダー（５）で直管形ランプ（１６）の両端部の口金（１６ｂ）を保持できる間隔に設定するための定尺ワイヤ（２２）を備えており、当該定尺ワイヤ（２２）の両端部は、一対の支持具（１）にそれぞれ着脱自在に係止される構成としたことを特徴とする請求項１、請求項２、又は請求項５に記載のライティングレール用直管形ランプ支持装置。
【請求項１１】
ライティングレール用直管形ランプ支持装置は、複数本の直管形ランプ（１６）の端部を支持して直管形ランプ（１６）をライティングレール（１５）に直列状に配列させて取り付ける連結ソケット（２３）を備えており、当該連結ソケット（２３）は、ライティングレール（１５）に移動自在且つ着脱自在に取り付けられ、ライティングレール（１５）内に設けた線状導体（１５ｄ）から集電を行うプラグ（３′）と、プラグ（３′）に取り付けたアーム部材（４′）と、アーム部材（４′）に取り付けられ、直管形ランプ（１６）の口金（１６ｂ）を正逆回転可能に保持する複数のホルダー（５′）と、プラグ（３′）にリード線（６′）を介して接続され、ホルダー（５′）に支持された直管形ランプ（１６）の端子ピン（１６ｃ）に抜き差し自在に差し込まれると共に、直管形ランプ（１６）と一緒に正逆回転可能な複数のソケット（７′）とから成ることを特徴とする請求項１に記載のライティングレール用直管形ランプ支持装置。
【請求項１２】
連結ソケット（２３）は、ホルダー（５′）及びソケット（７′）の前面以外を覆うカバー体（８′）を備えており、当該カバー体（８′）は、連結ソケット（２３）に対して着脱自在になっていることを特徴とする請求項１１に記載のライティングレール用直管形ランプ支持装置。
【考案の詳細な説明】
【技術分野】
【０００１】
本考案は、店舗や展示会場、宴会場、美術館、オフィスビルの事務所等の室内の天井や壁面等に照明の給電用に敷設したライティングレールに移動自在且つ着脱自在に取り付けられ、給電用のライティングレールに電気的に接続されて直管形ランプである直管形ＬＥＤランプや冷陰極蛍光ランプ（ＣＣＦＬ）、或いは直管形蛍光灯を支持するライティングレール用直管形ランプ支持装置に関するものである。
【背景技術】
【０００２】
一般に、室内のベース照明（全般照明）として用いられる直管形ランプ（例えば、直管形蛍光灯）は、天井に一直線状又は並列状に配置されたベース、ソケット及びカバー等から成る長尺状の器具に取り付けられている。
【０００３】
そのため、前記器具及び直管形ランプを一度設置すると、その後は動かすことができず、室内のレイアウト変更に対する対応が必ずしも万全とはいえなかった。また、器具は、一台ごとに天井から配線する必要があるため、工事に手数がかかると云う問題もあった。
【０００４】
一方、従来から照明器具の取り付け位置を自由に設定できるものとして、ライティングレールが使用されている。このライティングレールは、天井や壁面に取り付けられ、端部に給電ターミナルを挿入し、ジョイントプラグによって連結することにより、天井や壁面に任意の形状に敷設することができ、また、ライティングレールの内面側には、長手方向に沿って給電用の一対の線状導体が敷設されているため、工事も簡単に行えるようになっている。
【０００５】
従って、ライティングレールは、店舗や展示会場、宴会場、美術館、オフィスビルの事務所等に於いて広く使用されるようになって来ており、照明対象物の移動、変化に対応できるよう照明器具の増減、照射方向の変更、照射角度の異なる照明器具との組み合せ等、フレキシブルに現場で対応できるものである。
【０００６】
ところで、ライティングレールは、今までスポット照明器具専用であったが、近年、直管形ＬＥＤランプをライティングレールへ取り付けることができる取付装置が開発され、実用新案登録第３１５７４９７号公報（特許文献１参照）として公開されている。
【０００７】
即ち、前記取付装置は、同一の構造を有する一対のコンセントプラグ３０を対向させて用いることにより、直管形ＬＥＤランプの両端部を保持してライティングレール３１に取り付けるものである。
【０００８】
具体的には、コンセントプラグ３０は、図３４〜図３６に示す如く、内部に配線を通す略角柱形状のプラグ本体３２と、プラグ本体３２の上面に突設され、ライティングレール３１に係止可能な取付部３３と、プラグ本体３２の正面側に埋設され、直管形ＬＥＤランプの端部の電極を保持可能な回転式のソケット３４とから成り、ライティングレール３１の接点３１ａと直管形ＬＥＤランプの電極とを通電可能に構成されている。
また、コンセントプラグ３０の取付部３３は、プラグ本体３２の上面に突設され、ライティングレール３１の開口からライティングレール３２の内部に挿入される略角柱状のフック軸３５と、フック軸３５に設けられ、ライティングレール３１の内面に設けた接点３１ａに接触する金属製の一つの接点用係合片３６と、フック軸３５に設けられ、ライティングレール３１の対向する内面に形成した係止用凹条溝に嵌合される一対の係止用係合片３７とを備えている。
【０００９】
而して、前記一対のコンセントプラグ３０を用いて直管形ＬＥＤランプをライティングレール３１に取り付ける場合には、先ず、一方のコンセントプラグ３０の取付部３３をライティングレール３１の開口からライティングレール３１内に挿入し、コンセントプラグ３０自体を９０度回転させ、接点用係合片３６をライティングレール３１内の一方の接点３１ａに接触させると共に、一対の係止用係合片３７をライティングレール３１内の一対の係止用凹条溝内に嵌合させる。これによって、一方のコンセントプラグ３０は、ライティングレール３１に取り付けられると共に、ライティングレール３１の一方の接点３１ａとコンセントプラグ３０のソケット３４内の接続端子とが電気的に接続される。
【００１０】
次に、他方のコンセントプラグ３０をライティングレー３１の離れた位置に上記と同じ方法で取り付ける。このとき、２つのコンセントプラグ３０のソケット３４同士の距離が、取り付ける直管形ＬＥＤランプのランプの長さと同じになるようにすると共に、２つのコンセントプラグ３０のソケット３４同士が対向するように取り付ける。
【００１１】
その後、直管形ＬＥＤランプの両端部に配設した一対の電極をプラグ本体３２に形成した導入溝３２ａからソケット３４のスリット３４ａ内に挿入し、ソケット３４を約９０度回転させる。これによって、一対のコンセントプラグ３０に直管形ＬＥＤランプが取り付けられる。このとき、直管形Ｌランプの一方の電極とライティングレール３１の一方の接点３１ａとが電気的に接続され、また、直管形Ｌランプの他方の電極とライティングレール３１の他方の接点３１ａとが電気的に接続される。
従って、一対のコンセントプラグ３０を用いて直管形ＬＥＤランプをライティングレール３１に取り付けることができ、また、点灯させることができる。
【００１２】
上述した取付装置は、比較的小さな一対のコンセントプラグ３０から構成されているため、直管形ＬＥＤランプをライティングレール３１の長手方向と平行に且つライティングレール３１の開口直近に取り付けることができ、あまり場所を取らずに省スペース化を図ることができるうえ、一対のコンセントプラグ３０の間隔を調節することによって、任意の長さの直管形ＬＥＤランプを取り付けることができる等の利点を有する。
【００１３】
しかし、従来の取付装置は、直管形ＬＥＤランプの両端部の電極をコンセントプラグ３０のソケット３４のみで保持するようにしているため、直管形ＬＥＤランプに脱落の危険性があるうえ、ライティングレール３１に取り付けた何れか一方のコンセントプラグ３０が何らかの拍子にライティングレール３１に沿って移動し、一対のコンセントプラグ３０間の間隔が拡がった場合には、直管形ＬＥＤランプが落下することがあり、極めて安全性に劣ると云う問題あった。
【００１４】
また、従来の取付装置は、一対のコンセントプラグ３０に直管形ＬＥＤランプを取り付けた後、室内のレイアウトを変更した場合、直管形ＬＥＤランプの照射角が約１８０度となっているため、直管形ＬＥＤランプの照射方向を変えて適切な照明状態とすることができず、照射方向を自在に設定できないと云う問題があった。
【００１５】
更に、従来の取付装置は、床面を向いてる状態で一対のコンセントプラグ３０に取り付けられている直管形ＬＥＤランプを天井を向く姿勢で一対のコンセントプラグ３０に取り付けた場合には、直接照明から間接照明に切り替えることができるが、この場合には、コンセントプラグ３０からの直管形ＬＥＤランプの取り外しやコンセントプラグ３０への直管形ＬＥＤランプの取り付けを行わなければならず、極めて手数がかかると云う問題があった。
【先行技術文献】
【特許文献】
【００１６】
【特許文献１】実用新案登録第３１５７４９７号公報
【考案の概要】
【考案が解決しようとする課題】
【００１７】
本考案は、このような問題点に鑑みて為されたものであり、その目的は、直管形ＬＥＤランプや冷陰極蛍光ランプ等の直管形ランプを確実且つ良好に保持して直管形ランプの脱落を確実に防止できると共に、直管形ランプの照射方向を自在に設定できて室内のレイアウト変更に伴う適切な照明状態の形成を容易に実現することができ、また、直接照明、間接照明、半間接照明の切り替えを簡単且つ容易に行えるようにしたライティングレール用直管形ランプ支持装置を提供することにある。
【課題を解決するための手段】
【００１８】
上記目的を達成するために、本考案の請求項１の考案は、天井や壁面に照明の給電用に敷設したライティングレールに移動自在且つ着脱自在に取り付けられ、給電用のライティングレールに電気的に接続されて複数本の直管形ランプを支持するライティングレール用直管形ランプ支持装置であって、前記ライティングレール用直管形ランプ支持装置は、ライティングレールに取り付けられて複数本の直管形ランプの両端部を支持する一対の支持具から構成されており、一対の支持具は、ライティングレールに移動自在且つ着脱自在に取り付けられ、ライティングレール内に設けた線状導体から集電を行うプラグと、プラグの下面にライティングレールに直交する姿勢で取り付けられたアーム部材と、アーム部材に取り付けられ、直管形ランプの口金を正逆回転可能に保持する複数のホルダーと、プラグにリード線を介して接続され、ホルダーに支持された直管形ランプの端子ピンに抜き差し自在に差し込まれると共に、直管形ランプと一緒に正逆回転可能な複数のソケットとをそれぞれ備えていることに特徴がある。
【００１９】
本考案の請求項２の考案は、天井や壁面に照明の給電用に敷設したライティングレールに移動自在且つ着脱自在に取り付けられ、給電用のライティングレールに電気的に接続されて一本の直管形ランプを支持するライティングレール用直管形ランプ支持装置であって、前記ライティングレール用直管形ランプ支持装置は、ライティングレールに取り付けられて一本の直管形ランプの両端部を支持する一対の支持具から構成されており、一対の支持具は、ライティングレールに移動自在且つ着脱自在に取り付けられ、ライティングレール内に設けた線状導体から集電を行うプラグと、プラグの下面に直接又は間接的に取り付けられ、直管形ランプの口金を正逆回転可能に保持するホルダーと、プラグにリード線を介して接続され、ホルダーに支持された直管形ランプの端子ピンが抜き差し自在に差し込まれると共に、直管形ランプと一緒に正逆回転可能なソケットとをそれぞれ備えていることに特徴がある。
【００２０】
本考案の請求項３の考案は、請求項１又は請求項２に記載の考案に於いて、一対の支持具は、ホルダー及びソケットの前面以外を覆うカバー体を備えており、当該カバー体は、支持具に対して着脱自在になっていることに特徴がある。
【００２１】
本考案の請求項４の考案は、請求項１、請求項２又は請求項３に記載の考案に於いて、一対の支持具は、連結杆で対向状に連結されており、一対の支持具の間隔は対向するホルダーで直管形ランプの両端部の口金を保持できる間隔に設定されていることに特徴がある。
【００２２】
本考案の請求項５の考案は、天井や壁面に照明の給電用に敷設したライティングレールに移動自在且つ着脱自在に取り付けられ、給電用のライティングレールに電気的に接続されて複数本の直管形ランプを支持するライティングレール用直管形ランプ支持装置であって、前記ライティングレール用直管形ランプ支持装置は、複数本の直管形ランプの両端部を支持する一対の支持具と、一対の支持具を対向状に連結する連結杆と、連結杆に設けられ、ライティングレールに移動自在且つ着脱自在に取り付けられてライティングレール内に設けた線状導体から集電を行う一つ又は二つのプラグとから構成されており、一対の支持具は、連結杆にライティングレールに直交する姿勢で取り付けられたアーム部材と、アーム部材に取り付けられ、直管形ランプの口金を正逆回転可能に保持する複数のホルダーと、プラグにリード線を介して接続され、ホルダーに支持された直管形ランプの端子ピンに抜き差し自在に差し込まれると共に、直管形ランプと一緒に正逆回転可能な複数のソケットとをそれぞれ備えていることに特徴がある。
【００２３】
本考案の請求項６の考案は、請求項５に記載の考案に於いて、連結杆の中間部上面にプラグを一つ旋回自在に取り付けたことに特徴がある。
【００２４】
本考案の請求項７の考案は、請求項１、請求項２、請求項３、請求項４又は請求項５に記載の考案に於いて、ホルダーは、弾性を有する合成樹材により開閉自在に構成されており、アーム部材又はプラグの下面側に着脱自在に取り付けられる基台と、基台の両端部に下向きに連設された一対の支持片と、一対の支持片の先端部に揺動自在に連設され、直管形ランプの口金の外周面に沿う円弧状に形成された一対の円弧部と、一方の円弧部の先端部外面に形成した係止爪と、他方の円弧部の先端部内面に形成され、前記係止溝爪が係脱自在に係止される複数の係止溝とを備えており、直管形ランプの口金を一対の円弧部間に挿入して前記口金で一対の円弧部の基端部側を押すと、一対の円弧部がその先端部同士が近接する方向へ揺動し、一方の円弧部に形成した係止爪が他方の円弧部に形成した係止溝に係止されてホルダーが閉じた状態となり、一対の円弧部で直管形ランプの口金を保持するようにしたことに特徴がある。
【００２５】
本考案の請求項８の考案は、請求項１又は請求項５に記載の考案に於いて、ライティングレール用直管形ランプ支持装置は、複数本の直管形ランプの中間部分を保持する中間ホルダーを備えており、当該中間ホルダーは、ライティングレールに移動自在且つ着脱自在に取り付けられる取り付け部と、取り付け部に取り付けたアーム部と、アーム部に取り付けられ、複数本の直管形ランプの中間部を着脱自在に保持する複数の保持部とから成ることに特徴がある。
【００２６】
本考案の請求項９の考案は、請求項２に記載の考案に於いて、ライティングレール用直管形ランプ支持装置は、一本の直管形ランプの中間部分を保持する中間ホルダーを備えており、当該中間ホルダーは、ライティングレールに移動自在且つ着脱自在に取り付けられる取り付け部と、取り付け部に取り付けられ、一本の直管形ランプの中間部を着脱自在に保持する保持部とから成ることに特徴がある。
【００２７】
本考案の請求項１０の考案は、請求項１、請求項２又は請求項５に記載の考案に於いて、ライティングレール用直管形ランプ支持装置は、一対の支持具の間隔を、対向するホルダーで直管形ランプの両端部の口金を保持できる間隔に設定するための定尺ワイヤを備えており、当該定尺ワイヤの両端部は、一対の支持具にそれぞれ着脱自在に係止される構成としたことに特徴がある。
【００２８】
本考案の請求項１１の考案は、請求項１に記載の考案に於いて、ライティングレール用直管形ランプ支持装置は、複数本の直管形ランプの端部を支持して直管形ランプをライティングレールに直列状に配列させて取り付ける連結ソケットを備えており、当該連結ソケットは、ライティングレールに移動自在且つ着脱自在に取り付けられ、ライティングレール内に設けた線状導体から集電を行うプラグと、プラグに取り付けたアーム部材と、アーム部材に取り付けられ、直管形ランプの口金を正逆回転可能に保持する複数のホルダーと、プラグにリード線を介して接続され、ホルダーに支持された直管形ランプの端子ピンに抜き差し自在に差し込まれると共に、直管形ランプと一緒に正逆回転可能な複数のソケットとから成ることに特徴がある。
【００２９】
本考案の請求項１２の考案は、請求項１１に記載の考案に於いて、連結ソケットは、ホルダー及びソケットの前面以外を覆うカバー体を備えており、当該カバー体は、連結ソケットに対して着脱自在になっていることに特徴がある。
【考案の効果】
【００３０】
本考案の請求項１のライティングレール用直管形ランプ支持装置は、複数本の直管形ランプの両端部を支持する一対の支持具から成り、一対の支持具が、ライティングレールに取り付けられるプラグと、プラグの下面にライティングレールに直交する姿勢で取り付けられたアーム部材と、アーム部材に取り付けられ、直管形ランプの口金を正逆回転可能に保持する複数のホルダーと、プラグにリード線を介して接続され、ホルダーに支持された直管形ランプの端子ピンに抜き差し自在に差し込まれると共に、直管形ランプと一緒に正逆回転可能な複数のソケットとをそれぞれ備えているため、次の（ａ）〜（ｄ）に示すような優れた作用効果を奏することができる。
（ａ）即ち、本考案の請求項１のライティングレール用直管形ランプ支持装置は、直管形ランプの両端部の口金をホルダーで保持し、ホルダーに支持された直管形ランプの端子ピンにソケットを差し込むようにしているため、直管形ランプの両端部の電極をコンセントプラグのソケットのみで保持するようにした従来の取付装置に比較して、直管形ランプの両端部を確実且つ良好に保持することができ、直管形ランプの脱落を確実に防止することができる。
（ｂ）また、本考案の請求項１のライティングレール用直管形ランプ支持装置は、直管形ランプの両端部の口金をホルダーで正逆回転可能に保持し、ホルダーに支持された直管形ランプの端子ピンに差し込まれたソケットが直管形ランプと一緒に正逆回転可能になっているため、例えば、直管形ランプに照射角が約１８０度の直管形ＬＥＤランプや冷陰極蛍光ランプを使用し、これらをホルダー内で回転させることによって、照射方向を自由に設定することができる。
即ち、本考案の請求項１のライティングレール用直管形ランプ支持装置は、直管形ＬＥＤランプや冷陰極蛍光ランプをホルダー内で回転させ、照射方向を下向き、上向き又は横向きに変えることによって、直接照明、間接照明又は半間接照明まで簡単に対応することができる。
従って、本考案の請求項１のライティングレール用直管形ランプ支持装置を用いれば、照明設計上非常な自由度が得られ、今まで間接照明を実施するためには灯具を隠す必要があったり、或いは、壁面形状やスペース面で大きな制約があったが、器具自体を隠さずとも間接照明や半間接照明を実施することができ、天井面、壁面のどこに取り付けても、照射方向さえ目的の方向に設定すれば、簡単に直接照明、間接照明又は半間接照明の効果が得られる。
（ｃ）更に、本考案の請求項１のライティングレール用直管形ランプ支持装置は、直管形ＬＥＤランプや冷陰極蛍光ランプをホルダー内で回転させるだけで、直接照明、間接照明又は半間接照明に切り替えることができるため、直接照明、間接照明又は半間接照明への切り替えも簡単且つ容易に行うことができる。
（ｄ）加えて、本考案の請求項１のライティングレール用直管形ランプ支持装置は、プラグの下面にライティングレールに直交する姿勢でアーム部材を取り付け、当該アーム部材に複数のホルダー及びソケットをそれぞれ配設しているため、例えば、アーム部材の両端部にホルダー及びソケットをそれぞれ配設した場合、二本の直管形ランプをライティングレールに沿って平行状に支持することができると共に、二本の直管形ランプの間からスポット照明器具をライティングレールに取り付けることができ、ベース照明とスポット照明の組み合わせが可能となる。
従って、本考案の請求項１のライティングレール用直管形ランプ支持装置とスポット照明器具を組み合わせた場合、二本の直管形ランプを天井に向けると、間接照明の柔らかな光が得られ、また、スポット照明により食卓や机等の直下の照度の不足を補ったり、或いは壁面の絵画や壁飾りを照らしたり、展示品をクローズアップしたりすることができ、効果的な照明を行える。
【００３１】
本考案の請求項２のライティングレール用直管形ランプ支持装置は、一本の直管形ランプの両端部を支持する一対の支持具から成り、一対の支持具が、ライティングレールに取り付けられるプラグと、プラグの下面側に取り付けられ、直管形ランプの口金を正逆回転可能に保持するホルダーと、プラグにリード線を介して接続され、ホルダーに支持された直管形ランプの端子ピンに抜き差し自在に差し込まれると共に、直管形ランプと一緒に正逆回転可能なソケットとをそれぞれ備えているため、上述した（ａ）〜（ｃ）と同様の作用効果を奏することができる。
【００３２】
本考案の請求項３のライティングレール用直管形ランプ支持装置は、一対の支持具がホルダー及びソケットの前面以外を覆うカバー体を備えているため、ホルダー及びソケット等がカバー体により隠されることになり、デザイン性に優れたものになるうえ、直管形ランプがホルダーから万が一外れたとしても、カバー体により受け止められて落下するのが防止され、より安全性に優れたものとなる。
また、本考案の請求項３のライティングレール用直管形ランプ支持装置は、カバー体が支持具に対して着脱自在となっているため、カバー体を支持具から取り外すことによって、直管形ランプのホルダーへの取り付けも簡単に行うことができる。
【００３３】
本考案の請求項４のライティングレール用直管形ランプ支持装置は、一対の支持具が連結杆で対向状に連結されており、一対の支持具の間隔が対向するホルダーで直管形ランプの両端部の口金を保持できる間隔に設定されているため、直管形ランプを一対の支持具に取り付ける際に一対の支持具の間隔を調整する必要もなく、また、直管形ランプを一対の支持具に取り付けてから支持具をライティングレールに取り付けることができ、作業性に優れたものとなる。
【００３４】
本考案の請求項５のライティングレール用直管形ランプ支持装置は、複数本の直管形ランプの両端部を支持する一対の支持具と、一対の支持具を対向状に連結する連結杆と、連結杆に設けられ、ライティングレールに移動自在且つ着脱自在に取り付けられてライティングレール内に設けた線状導体から集電を行う一つ又は二つのプラグとから構成されており、一対の支持具が、連結杆にライティングレールに直交する姿勢で取り付けられたアーム部材と、アーム部材に取り付けられ、直管形ランプの口金を正逆回転可能に保持する複数のホルダーと、プラグにリード線を介して接続され、ホルダーに支持された直管形ランプの端子ピンに抜き差し自在に差し込まれると共に、直管形ランプと一緒に正逆回転可能な複数のソケットとをそれぞれ備えているため、上述した（ａ）〜（ｄ）と同様の作用効果を奏することができる。
【００３５】
本考案の請求項６のライティングレール用直管形ランプ支持装置は、プラグを一つだけにしているため、ライティングレールへの取り付け及びライティングレールからの取り外しを簡単且つ容易に行える。
また、本考案の請求項６のライティングレール用直管形ランプ支持装置は、プラグを連結杆に旋回自在に取り付けているため、ライティングレールに取り付けたプラグに対して連結杆を旋回させれば、ライティングレールに対して直管形ランプの向きを水平方向に自由に変えることができ、至極便利である。
【００３６】
本考案の請求項７のライティングレール用直管形ランプ支持装置は、ホルダーが、アーム部材又はプラグの下面側に取り付けられる基台と、基台の両端部に連設された一対の支持片と、一対の支持片の先端部に揺動自在に連設され、直管形ランプの口金の外周面に沿う円弧状に形成された一対の円弧部と、一方の円弧部の先端部外面に形成した係止爪と、他方の円弧部の先端部内面に形成され、前記係止溝爪が係脱自在に係止される複数の係止溝とを備えており、直管形ランプの口金を一対の円弧部間に挿入して前記口金で一対の円弧部の基端部側を押すと、一対の円弧部がその先端部同士が近接する方向へ揺動し、一方の円弧部に形成した係止爪が他方の円弧部に形成した係止溝に係止されてホルダーが閉じた状態となり、一対の円弧部で直管形ランプの口金を保持するように構成されているため、直管形ランプのホルダーへの取り付けを簡単且つ容易に行える。
また、本考案の請求項７のライティングレール用直管形ランプ支持装置は、ホルダーの円弧部に複数の係止溝を形成しているため、直管形ランプの口金の外径に多少の誤差があっても、その誤差を吸収することができる。
更に、本考案の請求項７のライティングレール用直管形ランプ支持装置は、ホルダーがアーム部材又はプラグの下面側に着脱自在に取り付けられるため、口金の外径が異なる直管形ランプに対しては他のサイズのホルダーと交換することによって、対処することができる。
【００３７】
本考案の請求項８及び請求項９のライティングレール用直管形ランプ支持装置は、直管形ランプの中間部分を保持する中間ホルダーをそれぞれ備えているため、長さの長い直管形ランプをライティングレールに取り付ける場合でも、直管形ランプの撓みを防止できると共に、落下の危険性を抑制して安全性をより高めることができる。
【００３８】
本考案の請求項１０のライティングレール用直管形ランプ支持装置は、一対の支持具の間隔を、対向するホルダーで直管形ランプの両端部の口金を保持できる間隔に設定するための定尺ワイヤを備えており、当該定尺ワイヤの両端部が、一対の支持具にそれぞれ着脱自在に係止される構成としているため、一対の支持具の間隔調整を簡単且つ容易に行うことができる。
【００３９】
本考案の請求項１１のライティングレール用直管形ランプ支持装置は、複数本の直管形ランプの端部を支持して直管形ランプをライティングレールに直列状に配列させて取り付ける連結ソケットを備えているため、複数本の直管形ＬＥＤランプを直列状に配列させてライティングレールに取り付けることができる。
【００４０】
本考案の請求項１２のライティングレール用直管形ランプ支持装置は、連結ソケットが、ホルダー及びソケットの前面以外を覆うカバー体を備えており、当該カバー体が、連結ソケットに対して着脱自在になっているため、連結ソケットのホルダー及びソケット等がカバー体により隠されることになり、デザイン性に優れたものになるうえ、直管形ランプがホルダーから万が一外れたとしても、カバー体により受け止められて落下するのが防止され、より安全性に優れたものとなる。
また、本考案の請求項１２のライティングレール用直管形ランプ支持装置は、カバー体が連結ソケットに対して着脱自在なっているため、カバー体を連結ソケットから取り外すことによって、直管形ランプのホルダーへの取り付けも簡単に行うことができる。
【図面の簡単な説明】
【００４１】
【図１】本考案の第１の実施形態に係るライティングレール用直管形ランプ支持装置を示し、（Ａ）は二本の直管形ＬＥＤランプを支持してライティングレールに取り付けた状態の側面図、（Ｂ）はその平面図である。
【図２】ライティングレール用直管形ランプ支持装置の支持具の正面図である。
【図３】支持具の側面図である。
【図４】支持具の平面図である。
【図５】カバー体を外してホルダーを開放した状態の支持具の正面図である。
【図６】図５に示す支持具の側面図である。
【図７】本考案の第２の実施形態に係るライティングレール用直管形ランプ支持装置を示し、（Ａ）は二本の直管形ＬＥＤランプを支持してライティングレールに取り付けた状態の側面図、（Ｂ）はその平面図である。
【図８】本考案の第３の実施形態に係るライティングレール用直管形ランプ支持装置を示し、二本の直管形ＬＥＤランプを支持してライティングレールに取り付けた状態の斜視図である。
【図９】図８に示すライティングレール用直管形ランプ支持装置の要部の斜視図である。
【図１０】同じく図８に示すライティングレール用直管形ランプ支持装置の要部の斜視図である。
【図１１】同じく図８に示すライティングレール用直管形ランプ支持装置の支持具のカバー体を外した状態の斜視図である。
【図１２】同じく図８に示すライティングレール用直管形ランプ支持装置の中間ホルダーの斜視図である。
【図１３】本考案の第４の実施形態に係るライティングレール用直管形ランプ支持装置を示し、定尺ワイヤを用いて一対の支持具の間隔を直管形ＬＥＤランプの長さに合わせ、二本の直管形ＬＥＤランプを支持してライティングレールに取り付けた状態の斜視図である。
【図１４】定尺ワイヤを用いて一対の支持具の間隔を直管形ＬＥＤランプの長さに合わせた状態のライティングレール用直管形ランプ支持装置の要部の斜視図である。
【図１５】支持具に定尺ワイヤを係止する状態の斜視図である。
【図１６】本考案の第５の実施形態に係るライティングレール用直管形ランプ支持装置を示し、（Ａ）は二本の直管形ＬＥＤランプを支持してライティングレールに取り付けた状態の側面図、（Ｂ）はその平面図である。
【図１７】図１６に示すライティングレール用直管形ランプ支持装置の斜視図である。
【図１８】図１６に示すライティングレール用直管形ランプ支持装置の要部の斜視図である。
【図１９】ライティングレール用直管形ランプ支持装置の連結ソケットの一部省略斜視図である。
【図２０】連結ソケットの正面図である。
【図２１】連結ソケットの平面図である。
【図２２】連結ソケットの側面図である。
【図２３】本考案の第６の実施形態に係るライティングレール用直管形ランプ支持装置を示し、（Ａ）は一本の直管形ＬＥＤランプを支持してライティングレールに取り付けた状態の側面図、（Ｂ）はその平面図である。
【図２４】図２３に示すライティングレール用直管形ランプ支持装置の支持具の正面図である。
【図２５】図２４に示す支持具の側面図である。
【図２６】図２４に示す支持具の平面図である。
【図２７】カバー体を外してホルダーを開放した状態の図２４に示す支持具の正面図である。
【図２８】図２７に示す支持具の側面図である。
【図２９】本考案の第７の実施形態に係るライティングレール用直管形ランプ支持装置を示し、一本の直管形ＬＥＤランプを支持してライティングレールに取り付けた状態の斜視図である。
【図３０】図２９に示すライティングレール用直管形ランプ支持装置の要部の斜視図である。
【図３１】同じく図２９に示すライティングレール用直管形ランプ支持装置の要部の斜視図である。
【図３２】同じく図２９に示すライティングレール用直管形ランプ支持装置の支持具のカバー体を外した状態の斜視図である。
【図３３】同じく図２９に示すライティングレール用直管形ランプ支持装置の中間ホルダーの斜視図である。
【図３４】従来の取付装置に係るコンセントプラグの正面図である。
【図３５】コンセントプラグの側面図である。
【図３６】コンセントプラグをライティングレールに取り付けた状態の正面図である。
【考案を実施するための形態】
【００４２】
以下、本考案の実施形態を図面に基づいて詳細に説明する。
図１〜図６は本考案の第１の実施形態に係るライティングレール用直管形ランプ支持装置を示し、当該ライティングレール用直管形ランプ支持装置は、天井や壁面に照明の給電用に敷設したライティングレール１５に移動自在且つ着脱自在に取り付けられており、給電用のライティングレール１５に電気的に接続されて二本の直管形ランプ１６をライティングレール１５に沿って平行状に支持するものである。
【００４３】
即ち、ライティングレール用直管形ランプ支持装置は、図１に示す如く、二本の直管形ランプ１６の両端部を支持する一対の支持具１を連結杆２で対向状に連結することにより構成されており、前記一対の支持具１は、ライティングレール１５に移動自在且つ着脱自在に取り付けられ、ライティングレール１５内に設けた線状導体から集電を行うプラグ３と、プラグ３の下面にライティングレール１５に直交する姿勢で取り付けられたアーム部材４と、アーム部材４の両端部に取り付けられ、直管形ランプ１６の口金１６ｂを正逆回転可能に保持する一対のホルダー５と、プラグ３にリード線６を介して接続され、ホルダー５に支持された直管形ランプ１６の端子ピン１６ｃが抜き差し自在に差し込まれると共に、直管形ランプ１６と一緒に正逆回転可能な一対のソケット７と、アーム部材４に着脱自在に取り付けられ、ホルダー５及びソケット７の前面以外を覆うカバー体８とをそれぞれ備えている。
また、一対の支持具１は、両支持具１のアーム部材４の中間部同士を長尺状の連結杆２で連結することにより対向状に配置されており、両支持具１の間隔は対向するホルダー５で直管形ランプ１６の両端部の口金１６ｂを保持できる間隔に設定されている。
【００４４】
尚、ライティングレール１５は、図５に示す如く、天井壁及び左右の側壁により下面側が開口された断面形状略コ字状に形成された長尺状のレール本体１５ａと、レール本体１５ａの左右の側壁の中間部に向かい合うように突設され、レール本体１５ａに沿う導体支持部１５ｂと、導体支持部１５ｂの先端部に形成した導体用支持溝１５ｃ内にレール本体１５ａに沿って敷設され、外部の電源回路に電気的に接続される給電用の線状導体１５ｄと、レール本体１５ａの左右の側壁の下端部に水平姿勢で連設され、導体支持部１５ｂとの間でプラグ３を係止するための係止用溝１５ｅを形成する長尺板状の受け部１５ｆと、レール本体１５ａの一方の側壁下端に下向きに突出形成され、プラグ３に係合されてプラグ３の横ずれを防止すると共に、プラグ３の方向性を規制するための突条１５ｇとを備えており、従来公知のものと同様構造に構成されている。
このライティングレール１５は、天井や壁面に取り付けられており、端部に給電ターミナル（図示省略）を挿入し、ジョイントプラグ（図示省略）によって連結することにより、天井や壁面に任意の形状に敷設することができるようになっている。
【００４５】
また、直管形ランプ１６としては、直管形ＬＥＤランプ１６や冷陰極蛍光ランプ１６（ＣＣＦＬ）、直管形蛍光灯１６が使用されており、この実施形態に於いては、直管形ランプには、直管形ＬＥＤランプ１６が使用されている。
この直管形ＬＥＤランプ１６は、アルミ製の背面カバー及び透過性を有する前面カバーから成る管体１６ａと、管体１６ａ内に収納された細長い基板（図示省略）と、基板の前面カバーに対向する面に一列又は複数列の状態で配置された複数のＬＥＤ（発光ダイオード）と、管体１６ａの両端部に設けられ、一対の端子ピン１６ｃを備えた口金１６ｂとから構成されており、当該直管形ＬＥＤランプ１６には、電源内蔵タイプで両側の端子ピン１６ｃから給電を行う両側給電方式の直管形ＬＥＤランプ１６が使用されている。
【００４６】
尚、上記の実施形態に於いては、直管形ＬＥＤランプ１６には、電源内蔵タイプで両側の端子ピン１６ｃから給電を行う両側給電方式の直管形ＬＥＤランプ１６を使用したが、他の実施形態に於いては、電源内蔵タイプで片側の端子ピン１６ｃから給電を行う片側給電方式の直管形ＬＥＤランプ１６を使用しても良く、或いは、電源を外付けタイプとし、両側の端子ピン１６ｃから給電を行う両側給電方式の直管形ＬＥＤランプ１６又は片側の端子ピン１６ｃから給電を行う片側給電方式の直管形ＬＥＤランプ１６を使用しても良い。
【００４７】
前記プラグ３は、図２〜図６に示す如く、上面にライティングレール１５の開口に嵌まり込む直方体状の突部９ａとライティングレール１５の突条１５ｇに係合されてプラグ３自体の横ずれを防止する切欠９ｂとをそれぞれ形成したケース本体９と、ケース本体９の上面に突出形成され、ライティングレール１５の開口からライティングレール１５内に挿入される回転自在な軸部１０と、軸部１０に直径方向へ突出する状態で設けられ、ライティングレール１５の導体用支持溝１５ｃ内に挿入されて線状導体１５ｄに接触する一対の電極板１１と、軸部１０に直径方向へ突出する状態で設けられ、ライティングレール１５の係止用溝１５ｅに挿入されて受け部１５ｆに係合される一対の係合板１２と、軸部１０に連結され、軸部１０、一対の電極板１１及び係合板１２を回動操作する操作レバー１３とから構成されている。
また、操作レバー１３は、一対の電極板１１及び係合板１２がライティングレール１５の長手方向に沿う姿勢となる取り外し位置（図４の一点鎖線位置）と、一対の電極板１１及び係合板１２がライティングレール１５の幅方向に沿う姿勢となる取り付け位置（図４の実線位置）とに亘って９０度の範囲で回動操作可能となっている。
更に、一対の電極板１１は、操作レバー１３が取り付け位置のときには、一対の電極板１１の基端部側がケース本体９内に収容されてソケット７用のリード線６が接続される一対の接続端子（図示省略）にそれぞれ接触し、また、操作レバー１３が取り外し位置のときには、一対の電極板１１の基端部側が一対の接続端子と非接触状態となるようになっている。
尚、プラグ３の切欠９ｂは、ケース本体９の上面両側に形成されており、プラグ３の向きやライティングレール１５の突条１５ｇの位置に関係なく、プラグ３をライティングレール１５に取り付けられるようになっている。
【００４８】
而して、前記プラグ３によれば、操作レバー１３を取り外し位置に回動操作して軸部１０、一対の電極板１１及び係合板１２をライティングレール１５の開口に挿入し、この状態で操作レバー１３を取り外し位置から取り付け位置に回動操作すると、一対の電極板１１がライティングレール１５の導体用支持溝１５ｃ内に挿入されて線状導体１５ｄに接触すると共に、一対の係合板１２がライティングレール１５の係止用溝１５ｅに挿入されて受け部１５ｆに係合され、プラグ３自体がライティングレール１５に取り付けられることになる。
このとき、一対の電極板１１とライティングレール１５の線状導体１５ｄとが接触していると共に、一対の電極板１１の基端部側がケース本体９内の一対の接続端子にそれぞれ接触しているため、ライティングレール１５の一対の線状導体１５ｄからプラグ３の一対の接続端子へそれぞれ電力が供給されることになる。
また、プラグ３の突部９ａがライティングレール１５の開口に嵌まり込むと共に、一方の切欠９ｂがライティングレール１５の突条１５ｇと係合するため、プラグ３自体の横ずれが防止されると共に、突条１５ｇ及び切欠９ｂによりプラグ３の方向性が規制されることになる。
更に、プラグ３は、操作レバー１３を取り外し位置に回動することによって、ライティングレール１５に沿って移動させることができるようになっている。その結果、ライティングレール用直管形ランプ支持装置自体も、プラグ３の操作レバー１３を取り外し位置に回動操作することによって、ライティングレール１５に沿って移動させることができる。
【００４９】
前記アーム部材４は、図５及び図６に示す如く、アルミ合金等の金属材やプラスチック材により断面形状が略Ｈ型の柱形状に形成されており、その中間部分がプラグ３の下面に取り付け金具１４を介して取り付けられ、ライティングレール１５に直交する姿勢となっている。
【００５０】
尚、上記の実施形態に於いては、アーム部材４の断面形状を略Ｈ型の柱形状としたが、
アーム部材４の断面形状は、上記のものに限定されるものではなく、如何なる形状のものであっても良い。例えば、アーム部材４を平板状としたり、或いは角筒状としたりしても良い。
また、上記の実施形態に於いては、連結杆２とアーム部材４を別体に形成し、アーム部材４の中間部に連結杆２の端部を連結するようにしたが、他の実施形態に於いては、連結杆２とアーム部材４を一体的に形成するようにしても良い。更に、連結杆２の断面形状も図２に示すものに限定されるものではなく、如何なる形状であっても良い。
【００５１】
前記一対のホルダー５は、図２、図５及び図６に示す如く、弾性を有する合成樹材により開閉自在に構成されており、アーム部材４の端部下面に取り付け金具１４により着脱自在に取り付けられた基台５ａと、基台５ａの両端部に下向きに連設された一対の支持片５ｂと、一対の支持片５ｂの先端部に揺動自在に連設され、直管形ＬＥＤランプ１６の口金１６ｂの外周面に沿う円弧状に形成された一対の円弧部５ｃと、一方の円弧部５ｃの先端部外面に形成した係止爪５ｄと、他方の円弧部５ｃの先端部内面に形成され、前記係止爪５ｄが係脱自在に係止される複数の係止溝５ｅとをそれぞれ備えており、直管形ＬＥＤランプ１６の口金１６ｂを一対の円弧部５ｃ間に挿入して前記口金１６ｂで一対の円弧部５ｃの基端部側を押すと、一対の円弧部５ｃがその先端部同士が近接する方向へ揺動し、一方の円弧部５ｃに形成した係止爪５ｄが他方の円弧部５ｃに形成した係止溝５ｅに係止されて閉じた状態となり、一対の円弧部５ｃで直管形ＬＥＤランプ１６の口金１６ｂを回転自在に保持するように構成されている。
この一対のホルダー５は、円弧部５ｃの内周面に複数の係止溝５ｅを形成しているため、直管形ＬＥＤランプ１６の口金１６ｂの外径に多少の誤差があっても、その誤差を吸収することができるようになっている。
【００５２】
前記一対のソケット７は、図２及び図３に示す如く、正面側から見て略円形の外観形状を呈しており、その正面側には、ホルダー５に支持された直管形ランプの端子ピン１６ｃがそれぞれ抜き差し自在に差し込まれる一対のピン挿入孔７ａが形成されている。
そして、一対のソケット７は、プラグ３内の接続端子にリード線６を介して接続されており、その前面側がホルダー５内に出し入れ可能で且つホルダー５内で正逆回転可能となっている。
尚、リード線６の長さは、一対のソケット７がホルダー５内で少なくとも３６０度正逆回転できる長さに設定されている。
【００５３】
上記の実施形態に於いては、ホルダー５とソケット７を別体に形成したが、他の実施形態に於いては、図示していないが、ホルダー５とソケット７を一体構造とし、ソケット７をホルダー５に対して正逆回転できるようにしても良い。
【００５４】
前記カバー体８は、アーム部材４に着脱自在に取り付けられており、少なくともホルダー５及びソケット７の前面以外を覆うものである。
具体的には、カバー体８は、図２〜図６に示す如く、金属板を折り曲げることにより形成されており、上面及び前面が開放され、アーム部材４の端部上面及び端部前面、ホルダー５の前面、ソケット７の前面以外を覆うボックス状の一対のカバー本体部８ａと、一対のカバー本体部８ａ同士を連結し、アーム部材４の上面以外を覆う樋状のカバー連結部８ｂと、カバー連結部８ｂ内に設けられ、カバー体８自体をアーム部材４に着脱自在に取り付けるための係止手段８ｃとから成る。
また、係止手段８ｃは、カバー連結部８ｂの一方の側壁に一対の支持軸８ｄを介してアーム部材４側へ移動自在に支持された係止板８ｅと、カバー連結部８ｂの一方の側壁と係止板８ｅとの間に介設され、係止板８ｅをアーム部材４側へ付勢する弾性体８ｆとから成り、アーム部材４の中間部をカバー連結部８ｂ内に上方から挿入し、アーム部材４の中間部をカバー連結部８ｂの他方の側壁と係止板８ｅとの間で弾性的に挾持することによって、カバー体８をアーム部材４に取り付けることができるようになっている。
【００５５】
次に、上述した第１の実施形態に係るライティングレール用直管形ランプ支持装置を用いて直管形ＬＥＤランプ１６を天井に敷設したライティングレール１５に取り付ける場合について説明する。
【００５６】
先ず、直管形ＬＥＤランプ１６の両端部の口金１６ｂを対向するホルダー５の円弧部５ｃ間に挿入し、前記口金１６ｂで一対の円弧部５ｃの基端部側を押す。そうすると、一対の円弧部５ｃがその先端部同士が近接する方向へ揺動し、一方の円弧部５ｃに形成した係止爪５ｄが他方の円弧部５ｃに形成した係止溝５ｅに係止されて閉じた状態となり、直管形ＬＥＤランプ１６の口金１６ｂを保持することになる。
その結果、直管形ＬＥＤランプ１６のホルダー５への取り付けを簡単且つ容易に行える。また、ホルダー５の円弧部５ｃに複数の係止溝５ｅを形成しているため、直管形ランプの口金１６ｂの外径に多少の誤差があっても、その誤差を吸収することができる。
【００５７】
次に、ホルダー５内にソケット７の前面側を挿入し、ホルダー５に保持された直管形ＬＥＤランプ１６の両端部の端子ピン１６ｃをソケット７のピン挿入孔７ａに差し込む。このとき、直管形ＬＥＤランプ１６は、一対のホルダー５に回転自在に保持されているため、直管形ＬＥＤランプ１６をホルダー５内で回転させることによって、照射方向を自由に設定することができる。
【００５８】
その後、アーム部材４にカバー体８を取り付け、ホルダー５及びソケット７の前面以外をカバー体８で覆う。
【００５９】
最後に、直管形ＬＥＤランプ１６を取り付けたライティングレール用直管形ランプ支持装置を天井に敷設したライティングレール１５の任意の位置に取り付ける。即ち、一対の支持具１のプラグ３を操作レバー１３の回動操作によりライティングレール１５に取り付ける。ライティングレール用直管形ランプ支持装置の取り付け位置は、室内に適切な照明状態が得られるような位置とすることは勿論である。
【００６０】
このように、前記ライティングレール用直管形ランプ支持装置は、室内のレイアウトを変更することによって、適切な照明状態が得られなくなってしまった場合でも、ライティングレール用直管形ランプ支持装置をライティングレール１５に沿って移動させたり、或いは、ライティングレール用直管形ランプ支持装置を取り付ける位置を変更することによって、室内のレイアウトの変更に伴う適切な照明状態の形成を簡単且つ容易に実現することができる。
【００６１】
また、このライティングレール用直管形ランプ支持装置は、直管形ＬＥＤランプ１６の両端部の口金１６ｂをホルダー５で保持しているため、直管形ＬＥＤランプ１６の端子ピン１６ｃがソケット７から抜けた場合でも、直管形ＬＥＤランプ１６が脱落すると云うことがなく、安全性に優れたものとなる。
【００６２】
更に、このライティングレール用直管形ランプ支持装置は、直管形ＬＥＤランプ１６の両端部の口金１６ｂがホルダー５で正逆回転可能に保持されていると共に、ソケット７が直管形ＬＥＤランプ１６と一緒に正逆回転可能になっているため、直管形ＬＥＤランプ１６をホルダー５内で回転させ、照射方向を下向き、上向き又は横向きに変えることによって、直接照明、間接照明又は半間接照明まで対応することができるうえ、直接照明、間接照明又は半間接照明への切り替えも簡単且つ容易に行うことができる。
【００６３】
更に、このライティングレール用直管形ランプ支持装置は、アーム部材４にカバー体８を着脱自在に取り付けているため、ホルダー５及びソケット７がカバー体８により隠されることになり、デザイン性に優れたものになるうえ、直管形ＬＥＤランプ１６がホルダー５から万が一外れたとしても、カバー体８により受け止められて落下するのが防止され、より安全性に優れたものとなる。
【００６４】
更に、このライティングレール用直管形ランプ支持装置は、一対の支持具１が連結杆２で対向状に連結され、一対の支持具１の間隔が対向するホルダー５で直管形ＬＥＤランプ１６の両端部の口金１６ｂを保持できる間隔に設定されているため、直管形ＬＥＤランプ１６を一対の支持具１に取り付ける際に一対の支持具１の間隔を調整する必要もなく、また、直管形ＬＥＤランプ１６を一対の支持具１に取り付けてから支持具１をライティングレール１５に取り付けることができ、作業性に優れたものとなる。
【００６５】
図７は本考案の第２の実施形態に係るライティングレール用直管形ランプ支持装置を示し、当該ライティングレール用直管形ランプ支持装置は、天井や壁面に照明の給電用に敷設したライティングレール１５に移動自在且つ着脱自在に取り付けられており、給電用のライティングレール１５に電気的に接続されて二本の直管形ＬＥＤランプ１６をライティングレール１５に対して自由な角度で取り付けられるようにしたものである。
【００６６】
即ち、前記ライティングレール用直管形ランプ支持装置は、二本の直管形ランプ１６の両端部を支持する一対の支持具１と、一対の支持具１を対向状に連結する連結杆２と、連結杆２の中間部上面に旋回自在に設けられ、ライティングレール１５に移動自在且つ着脱自在に取り付けられてライティングレール１５内に設けた線状導体１５ｄから集電を行う一つのプラグ３とから構成されている。
【００６７】
また、一対の支持具１は、連結杆２の端部にライティングレール１５に直交する姿勢で取り付けられたアーム部材４と、アーム部材４の両端部に取り付けられ、直管形ランプ１６の口金１６ｂを正逆回転可能に保持する一対のホルダー５と、プラグ３にリード線６を介して接続され、ホルダー５に支持された直管形ランプ１６の端子ピン１６ｃに抜き差し自在に差し込まれると共に、直管形ランプ１６と一緒に正逆回転可能な一対のソケット７と、アーム部材４に着脱自在に取り付けられ、ホルダー５及びソケット７の前面側を除く部分を覆う開閉可能なカバー体８とをそれぞれ備えている。
【００６８】
このライティングレール用直管形ランプ支持装置は、支持具１にプラグ３を取り付けず、連結杆２の中間部にプラグ３を旋回自在に取り付け、直管形ランプ１６へ給電するようにしたものであり、第１の実施形態に係るライティングレール用直管形ランプ支持装置と同じ部材・部位には同一の参照番号を付している。
【００６９】
上述した第２の実施形態に係るライティングレール用直管形ランプ支持装置は、第１の実施形態に係るライティングレール用直管形ランプ支持装置と同様の作用効果を奏することができる。
また、第２の実施形態に係るライティングレール用直管形ランプ支持装置は、プラグ３を一つだけにしているため、ライティングレール１５への取り付け及びライティングレール１５からの取り外しを簡単且つ容易に行える。
更に、第２の実施形態に係るライティングレール用直管形ランプ支持装置は、プラグ３を連結杆２に旋回自在に取り付けているため、ライティングレール１５に取り付けたプラグ３に対して連結杆２を旋回させれば、ライティングレール１５に対して直管形ランプ１６の向きを水平方向に自由に変えることができ、至極便利である。
【００７０】
尚、上述した第２の実施形態に於いては、連結杆２にプラグ３を一つだけ取り付けるようにしたが、他の実施形態に於いては、連結杆２にプラグ３を二つ取り付けるようにしても良いことは勿論である。
【００７１】
図８〜図１２は本考案の第３の実施形態に係るライティングレール用直管形ランプ支持装置を示し、当該ライティングレール用直管形ランプ支持装置は、天井や壁面に照明の給電用に敷設したライティングレール１５に移動自在且つ着脱自在に取り付けられており、給電用のライティングレール１５に電気的に接続されて二本の直管形ＬＥＤランプ１６をライティングレール１５に沿って平行状に支持するものである。
【００７２】
即ち、前記ライティングレール用直管形ランプ支持装置は、ライティングレール１５に取り付けられて二本の直管形ＬＥＤランプ１６の両端部を支持する一対の支持具１と、ライティングレール１５に取り付けられて二本の直管形ＬＥＤランプ１６の中間部分を保持する中間ホルダー１７とから構成されている。
【００７３】
このライティングレール用直管形ランプ支持装置は、一対の支持具１同士を連結する連結杆２を省略すると共に、直管形ＬＥＤランプ１６の中間部分を保持する中間ホルダー１７を追加し、更に、プラグ３、アーム部材４及びカバー体８の形状や構造を変更したものであり、第１の実施形態に係るライティングレール用直管形ランプ支持装置と同じ部材・部位には同一の参照番号を付している。
【００７４】
前記一対の支持具１は、ライティングレール１５に移動自在且つ着脱自在に取り付けられ、ライティングレール１５内に設けた線状導体１５ｄから集電を行うプラグ３と、プラグ３の下面にライティングレール１５に直交する姿勢で取り付けられたアーム部材４と、アーム部材４の両端部に取り付けられ、直管形ＬＥＤランプ１６の口金１６ｂを正逆回転可能に保持する一対のホルダー５と、プラグ３にリード線（図示省略）を介して接続され、ホルダー５に支持された直管形ＬＥＤランプ１６の端子ピン１６ｃがそれぞれ抜き差し自在に差し込まれると共に、直管形ＬＥＤランプ１６と一緒に正逆回転可能な一対のソケット（図示省略）と、アーム部材４に着脱自在に取り付けられ、ホルダー５及びソケットの前面側を除く部分を覆う開閉可能なカバー体８とをそれぞれ備えている。
【００７５】
一方、中間ホルダー１７は、ライティングレール１５に移動自在且つ着脱自在に取り付けられる取り付け部１８と、取り付け部１８に取り付けたアーム部１９と、アーム部１９の両端部に取り付けられ、直管形ＬＥＤランプ１６の中間部を着脱自在に保持する一対の保持部２０とから成る。
【００７６】
前記取り付け部１８は、ケース状の本体１８ａと、本体１８ａの上面に突出形成され、ライティングレール１５の開口からライティングレール１５内に挿入される回転自在な軸部１８ｂと、軸部１８ｂに直径方向へ突出する状態で設けられ、ライティングレール１５の係止用溝１５ｅに挿入されて受け部１５ｆに係合される一対の係合板１８ｃと、軸部１８ｂに連結され、軸部１０及び一対の係合板１２を回動操作する操作レバー（図示省略）とから構成されており、プラグ３のケース本体９、軸部１０、係合板１２及び操作レバー１３と略同様構造に構成されている。
【００７７】
また、操作レバーは、一対の係合板１８ｃがライティングレール１５の長手方向に沿う姿勢となる取り外し位置と係合板１８ｃがライティングレール１５の幅方向に沿う姿勢となる取り付け位置とに亘って９０度の範囲で回動操作可能となっている。
【００７８】
更に、アーム部１９は、取り付け部１８の本体１８ａにライティングレール１５の幅方向に沿う姿勢で且つ本体１８ａから突設するように設けられている。
【００７９】
そして、保持部２０は、弾性を有する合成樹脂材により略Ｃ字状に形成されており、直管形ＬＥＤランプ１６の中間部を弾性的に保持できるようになっている。
【００８０】
而して、前記中間ホルダー１７によれば、操作レバーを取り外し位置に回動操作して軸部１８ｂ及び一対の係合板１８ｃをライティングレール１５の開口に挿入し、この状態で操作レバーを取り外し位置から取り付け位置に回動操作すると、一対の係合板１８ｃがライティングレール１５の係止用溝１５ｅに挿入されて受け部１５ｆに係合され、中間ホルダー１７自体がライティングレール１５に取り付けられることになる。
また、中間ホルダー１７は、保持部２０を押し広げてその開口から直管形ＬＥＤランプ１６の中間部を保持部２０内に挿入することによって、直管形ＬＥＤランプ１６の中間部を弾性的に保持することができる。
【００８１】
上述した第３の実施形態に係るライティングレール用直管形ランプ支持装置は、一対の支持具１を連結杆２で連結していないため、一対の支持具１の間隔調整に若干手間がかかってライティングレール１５への取り付けに多少時間がかかるが、第１の実施形態に係るライティングレール用直管形ランプ支持装置と同様の作用効果を奏することができる。
また、第３の実施形態に係るライティングレール用直管形ランプ支持装置は、プラグ３の下面に取り付けたアーム部材４の両端部にホルダー５及びソケット７をそれぞれ配設しているため、二本の直管形ＬＥＤランプ１６をライティングレール１５に沿って平行状に支持することができると共に、二本の直管形ＬＥＤランプ１６の間からスポット照明器具をライティングレール１５に取り付けることができ、ベース照明とスポット照明の組み合わせが可能となる。
更に、第３の実施形態に係るライティングレール用直管形ランプ支持装置は、直管形ＬＥＤランプ１６の中間部を保持する中間ホルダー１７を備えているため、長さの長い直管形ＬＥＤランプ１６をライティングレール１５に取り付ける場合でも、直管形ＬＥＤランプ１６の撓みを防止できると共に、落下の危険性を抑制して安全性をより高めることができる。
【００８２】
図１３〜図１５は本考案の第４の実施形態に係るライティングレール用直管形ランプ支持装置を示し、当該ライティングレール用直管形ランプ支持装置は、天井や壁面に照明の給電用に敷設したライティングレール１５に移動自在且つ着脱自在に取り付けられており、給電用のライティングレール１５に電気的に接続されて二本の直管形ＬＥＤランプ１６をライティングレール１５に沿って平行状に支持するものである。
【００８３】
即ち、前記ライティングレール用直管形ランプ支持装置は、ライティングレール１５に取り付けられて二本の直管形ＬＥＤランプ１６の両端部を支持する一対の支持具１と、ライティングレール１５に取り付けられて二本の直管形ＬＥＤランプ１６の中間部分を保持する中間ホルダー１７と、一対の支持具１に着脱自在に係止され、一対の支持具１の間隔を直管形ランプ１６を保持できる間隔に設定するための定尺ワイヤ２２とから構成されている。
【００８４】
このライティングレール用直管形ランプ支持装置は、第３の実施形態に係るライティングレール用直管形ランプ支持装置に定尺ワイヤ２２を追加したものであり、第３の実施形態に係るライティングレール用直管形ランプ支持装置と同じ部材・部位には同一の参照番号を付している。
【００８５】
前記定尺ワイヤ２２は、一対の支持具１の間隔を対向するホルダー５で直管形ランプ１６の両端部の口金１６ｂを保持できる間隔に調整できるようにするのであり、その両端部には、支持具１のカバー体８に形成した係止穴８ｇに着脱自在に挿入係止される球部２２ａが形成されている。
また、定尺ワイヤ２２は、端部に形成した球部２２ａを支持具１のカバー体８に形成した係止穴８ｇの大径部分に挿入した後、定尺ワイヤ２２の端部を係止穴８ｇの小径部分に移動させることによって、球部２２ａがカバー体８の係止穴８ｇから抜け止めされてカバー体８の係止穴８ｇに係止されるようになっている。
【００８６】
而して、前記定尺ワイヤ２２は、その両端部の球部２２ａを対向する支持具１のカバー体８に形成した係止穴８ｇにそれぞれ挿入係止することによって、一対の支持具１の間隔を直管形ランプ１６を保持できる間隔に調整することができる。
この定尺ワイヤ２２は、一対の支持具８の間隔を調整した後、支持具１から取り外される。
【００８７】
上述した第４の実施形態に係るライティングレール用直管形ランプ支持装置は、第３の実施形態に係るライティングレール用直管形ランプ支持装置と同様の作用効果を奏することができる。
また、第４の実施形態に係るライティングレール用直管形ランプ支持装置は、一対の支持具１の間隔を所定の間隔に設定する定尺ワイヤ２２を備えているため、第３の実施形態に係るライティングレール用直管形ランプ支持装置に比較して一対の支持具１の間隔調整を簡単且つ容易に行うことができる。
【００８８】
尚、上述した第４の実施形態に於いては、定尺ワイヤ２２の端部に球部２２ａを形成し、当該球部２２ａをカバー体８の係止穴８ｇに着脱自在に挿入係止するようにしたが、定尺ワイヤ２２の端部を支持具１に着脱字自在に係止する手段は、如何なる手段であっても良い。例えば、定尺ワイヤ２２の両端部にフック部（図示省略）を形成し、当該フック部を支持具１のカバー体８等に着脱自在に引っ掛けるようにしても良い。
【００８９】
図１６〜図２２は本考案の第５の実施形態に係るライティングレール用直管形ランプ支持装置を示し、当該ライティングレール用直管形ランプ支持装置は、天井や壁面に照明の給電用に敷設したライティングレール１５に移動自在且つ着脱自在に取り付けられており、給電用のライティングレール１５に電気的に接続されて直管形ＬＥＤランプ１６を二列の状態で且つ直列状に配列させてライティングレール１５に沿って平行状に支持するものである。
【００９０】
即ち、前記ライティングレール用直管形ランプ支持装置は、ライティングレール１５に取り付けられて二本の直管形ＬＥＤランプ１６の片側端部を支持する一対の支持具１と、ライティングレール１５に取り付けられて二本の直管形ＬＥＤランプ１６の中間部分を保持する中間ホルダー１７と、四本の直管形ＬＥＤランプ１６の端部を支持して直管形ＬＥＤランプ１６をライティングレール１５に直列状に配列させて取り付ける連結ソケット２３と、支持具１及び連結ソケット２３に着脱自在に係止され、支持具１と連結ソケット２３との間隔や連結ソケット２３同士の間隔を直管形ランプ１６を保持できる間隔に設定するための定尺ワイヤ２２とから構成されており、連結ソケット２３を二つ使用すると共に、中間ホルダー１７を三つ使用し、六本の直管形ＬＥＤランプ１６を二列の状態で且つ直列状に配列させてライティングレール１５に沿って平行状に支持するものである。
【００９１】
このライティングレール用直管形ランプ支持装置は、直管形ＬＥＤランプ１６をライティングレール１５に直列状に配列させて取り付けるための連結ソケット２３を追加したものであり、第３及び第４の実施形態に係るライティングレール用直管形ランプ支持装置と同じ部材・部位には同一の参照番号を付している。
また、一対の支持具１及び中間ホルダー１７は、第３及び第４の実施形態に係るライティングレール用直管形ランプ支持装置の支持具１及び中間ホルダー１７と同一の形状及び同一の構造に形成され、更に、定尺ワイヤ２２は、第４の実施形態に係るライティングレール用直管形ランプ支持装置の定尺ワイヤ２２と同一の形状及び同一の構造に形成されている。
【００９２】
前記連結ソケット２３は、図１９〜図２２に示す如く、ライティングレール１５に移動自在且つ着脱自在に取り付けられ、ライティングレール１５内に設けた線状導体１５ｄから集電を行うプラグ３′と、プラグ３′の下面にライティングレール１５に直交する姿勢で取り付けられたアーム部材４′と、アーム部材４′の両端部に取り付けられ、直管形ＬＥＤランプ１６の口金１６ｂを正逆回転可能に保持する四つのホルダー５′と、プラグ３′にリード線６′を介して接続され、ホルダー５′に支持された直管形ＬＥＤランプ１６の端子ピン１６ｃがそれぞれ抜き差し自在に差し込まれると共に、直管形ＬＥＤランプ１６と一緒に正逆回転可能な四つのソケット７′と、アーム部材４′に着脱自在に取り付けられ、前面及び背面に定尺ワイヤ２２の球部２２ａが着脱自在に挿入係止される係止穴８ｇ′を有すると共に、ホルダー５′及びソケット７′の前面側を除く部分を覆う開閉可能なカバー体８′とをそれぞれ備えている。
【００９３】
この連結ソケット２３のプラグ３′、アーム部材４′、ホルダー５′及びカバー体８′等は、第３の実施形態に係るライティングレール用直管形ランプ支持装置の支持具１のプラグ３、アーム部材４、ホルダー５及びカバー体８等と同様構造に形成されている。
【００９４】
尚、図１９〜図２２に於いて、５ａ′はホルダー５′の基台、５ｂ′はホルダー５′の支持片、５ｃ′はホルダー５′の円弧部、５ｄ′はホルダー５′の係止爪、５ｅ′はホルダー５′の係止溝、６′はリード線、７ａ′はソケット７′のピン挿入孔、９′はプラグ３′のケース本体、１０′はプラグ３′の軸部、１１′はプラグ３′の電極板、１２′はプラグ３′の係合板、１３′はプラグ３′の操作レバーである。
【００９５】
上述した第５の実施形態に係るライティングレール用直管形ランプ支持装置は、第４の実施形態に係るライティングレール用直管形ランプ支持装置と同様の作用効果を奏することができる。
また、第５の実施形態に係るライティングレール用直管形ランプ支持装置は、直管形ＬＥＤランプ１６をライティングレール１５に直列状に配列させて取り付ける連結ソケット２３を備えているため、複数本の直管形ＬＥＤランプ１６を直列状に配列させてライティングレール１５に取り付けることができる。
更に、第５の実施形態に係るライティングレール用直管形ランプ支持装置は、連結ソケット２３が、ホルダー５′及びソケット７′の前面以外を覆うカバー体８′を備えているため、連結ソケット２３のホルダー５′及びソケット７′等がカバー体８′により隠されることになり、デザイン性に優れたものになるうえ、直管形ＬＥＤランプ１６がホルダー５′から万が一外れたとしても、カバー体８′により受け止められて落下するのが防止され、より安全性に優れたものとなる。しかも、カバー体８′が連結ソケット２３に対して着脱自在なっているため、カバー体８′を連結ソケット２３から取り外すことによって、直管形ＬＥＤランプ１６のホルダー５′への取り付けも簡単に行うことができる。
【００９６】
上述した第５の実施形態に係るライティングレール用直管形ランプ支持装置は、複数本の直管形ＬＥＤランプ１６を二列の状態で且つ直列状に配列させてライティングレール１５に沿って平行状に支持する構成としたが、他の実施形態に於いては、複数本の直管形ＬＥＤランプ１６を一列の状態で且つ直列状に配列させてライティングレール１５に沿って支持する構成としても良い。
この場合には、支持具１には、後述する第６、第７の実施形態に係るライティングレール用直管形ランプ支持装置の支持具１を使用し、また、連結ソケット２３には、図示していないが、二つのホルダー５′及び二つのソケット７′を備えた連結ソケットを使用する。
【００９７】
図２３〜図２８は本考案の第６の実施形態に係るライティングレール用直管形ランプ支持装置を示し、当該ライティングレール用直管形ランプ支持装置は、天井や壁面に照明の給電用に敷設したライティングレール１５に移動自在且つ着脱自在に取り付けられており、給電用のライティングレール１５に電気的に接続されて一本の直管形ＬＥＤランプ１６をライティングレール１５に沿って平行状に支持するものである。
【００９８】
即ち、前記ライティングレール用直管形ランプ支持装置は、ライティングレール１５に取り付けられて一本の直管形ＬＥＤランプ１６の両端部を支持する一対の支持具１から構成されている。
尚、第３の実施形態に於いては、第１及び第２の実施形態に係るライティングレール用直管形ランプ支持装置と同じ部材・部位には同一の参照番号を付している。
【００９９】
前記一対の支持具１は、ライティングレール１５に移動自在且つ着脱自在に取り付けられ、ライティングレール１５内に設けた線状導体１５ｄから集電を行うプラグ３と、プラグ３の下面に取り付け部材２１を介して取り付けられ、直管形ＬＥＤランプ１６の口金１６ｂを正逆回転可能に保持するホルダー５と、プラグ３にリード線６を介して接続され、ホルダー５に支持された直管形ランプの端子ピン１６ｃが抜き差し自在に差し込まれると共に、直管形ＬＥＤランプ１６と一緒に正逆回転可能なソケット７と、取り付け部材２１に着脱自在に支持され、ホルダー５及びソケット７の前面以外を覆うカバー体８とをそれぞれ備えている。
【０１００】
上述した第６の実施形態に係るライティングレール用直管形ランプ支持装置は、一対の支持具１を連結杆２で連結していないため、一対の支持具１の間隔調整に若干手間がかかってライティングレール１５への取り付けに多少時間がかかるが、第１の実施形態に係るライティングレール用直管形ランプ支持装置と同様の作用効果を奏することができる。
【０１０１】
図２９〜図３３は本考案の第７の実施形態に係るライティングレール用直管形ランプ支持装置を示し、当該ライティングレール用直管形ランプ支持装置は、天井や壁面に照明の給電用に敷設したライティングレール１５に移動自在且つ着脱自在に取り付けられており、給電用のライティングレール１５に電気的に接続されて一本の直管形ＬＥＤランプ１６をライティングレール１５に沿って平行状に支持するものである。
【０１０２】
即ち、前記ライティングレール用直管形ランプ支持装置は、ライティングレール１５に取り付けられて一本の直管形ＬＥＤランプ１６の両端部を支持する一対の支持具１と、ライティングレール１５に取り付けられて直管形ＬＥＤランプ１６の中間部分を保持する中間ホルダー１７とから構成されている。
尚、第３の実施形態に於いては、第１、第２及び第３の実施形態に係るライティングレール用直管形ランプ支持装置と同じ部材・部位には同一の参照番号を付している。
【０１０３】
前記一対の支持具１は、ライティングレール１５に移動自在且つ着脱自在に取り付けられ、ライティングレール１５内に設けた線状導体１５ｄから集電を行うプラグ３と、プラグ３の下面側に取り付けられ、直管形ＬＥＤランプ１６の口金１６ｂを正逆回転可能に保持するホルダー５と、プラグ３にリード線（図示省略）を介して接続され、ホルダー５に支持された直管形ＬＥＤランプ１６の端子ピン１６ｃが抜き差し自在に差し込まれると共に、直管形ＬＥＤランプ１６と一緒に正逆回転可能なソケット（図示省略）と、ホルダー５及びソケットの前面以外を覆う開閉可能なカバー体８とをそれぞれ備えている。
【０１０４】
一方、中間ホルダー１７は、ライティングレール１５に移動自在且つ着脱自在に取り付けられた取り付け部１８と、取り付け部１８の下面に取り付けられ、直管形ＬＥＤランプ１６の中間部を着脱自在に保持する保持部２０とから成る。
【０１０５】
前記取り付け部１８は、ケース状の本体１８ａと、本体１８ａの上面に突出形成され、ライティングレール１５の開口からライティングレール１５内に挿入される回転自在な軸部１８ｂと、軸部１８ｂに直径方向へ突出する状態で設けられ、ライティングレール１５の係止用溝１５ｅに挿入されて受け部１５ｆに係合される一対の係合板１８ｃと、軸部１８ｂに連結され、軸部１８ｂ及び一対の係合板１８ｃを回動操作する操作レバー１８ｄとから構成されており、プラグ３のケース本体９、軸部１０、係合板１２及び操作レバー１３と略同様構造に構成されている。
【０１０６】
また、操作レバー１８ｄは、一対の係合板１８ｃがライティングレール１５の長手方向に沿う姿勢となる取り外し位置と、係合板１８ｃがライティングレール１５の幅方向に沿う姿勢となる取り付け位置とに亘って９０度の範囲で回動操作可能となっている。
【０１０７】
更に、保持部２０は、弾性を有する合成樹脂材により略Ｃ字状に形成されており、直管形ＬＥＤランプ１６の中間部を弾性的に保持できるようになっている。
【０１０８】
上述した第７の実施形態に係るライティングレール用直管形ランプ支持装置は、一対の支持具１を連結杆２で連結していないため、一対の支持具１の間隔調整に若干手間がかかってライティングレール１５への取り付けに多少時間がかかるが、第３の実施形態に係るライティングレール用直管形ランプ支持装置と同様の作用効果を奏することができる。
【０１０９】
尚、上記第１〜第５の実施形態に於いては、アーム部材４に一対のホルダー５及びソケット７をそれぞれ配設し、二本の直管形ＬＥＤランプ１６を支持するようにしたが、他の実施形態に於いては、アーム部材４に三つ又は四つのホルダー５及びソケット７をそれぞれ配設し、三本又は四本の直管形ＬＥＤランプ１６を支持するようにしても良い。この場合、中間ホルダー１７の保持部２０の数も直管形ＬＥＤランプ１６の数と同じすることは勿論である。
【０１１０】
上記第１〜第７の実施形態に於いては、何れも支持具１がカバー体８を備えているが、他の実施形態に於いては、カバー体８を省略するようにしても良い。また、カバー体８の材質も、金属材に限定されるものではなく、カバー体８を合成樹脂材で形成するようにしても良い。更に、カバー体８の形状も、第１〜第７の実施形態に限定されるものではなく、如何なる形状であっても良い。
【０１１１】
上記第１及び第２の実施形態に於いては、一対の支持具１を一本の連結杆２で連結するようにしたが、他の実施形態に於いては、一対の支持具１を複数本の連結杆２で連結するようにしても良い。
【０１１２】
上記第６及び第７の実施形態に於いては、一対の支持具１の間隔を調整できるようにしているが、他の実施形態に於いては、一対の支持具１を連結杆２で連結するようにしても良い。また、第６及び第７の実施形態に於いては、定尺ワイヤ２２を追加するようにしても良い。
【０１１３】
上記第１〜第７の実施形態に於いては、ライティングレール１５に、給電用の線状導体１５ｄを敷設した導体支持部１５ｂが１段になっているライティングレール１５を使用し、当該ライティングレール１５にプラグ３を着脱自在に取り付けるようにしたが、他の実施形態に於いては、図示していないが、レール本体１５ａ内に導体支持部１５ｂが上下２段に形成されていて線状導体１５ｄが４極になっているライティングレール１５を使用し、また、プラグ３も電極版１１が上下２段に設けられたプラグ３を使用するようにしても良い。
このようにすると、直管形ランプ支持装置とスポット照明器具等のプラグ３の電極板１１の使い分けにより３系統のスイッチングが可能となり、１系統は直管形ランプ支持装置用、２系統はスポット照明器具用、３系統は節電時の最低の照明用等とし、それぞれが別のスイッチでＯＮ・ＯＦＦ制御することができる。
【符号の説明】
【０１１４】
１は支持具、２は連結杆、３，３′はプラグ、４，４′はアーム部材、５，５′はホルダー、５ａ，５ａ′は基台、５ｂ，５ｂ′は支持片、５ｃ，５ｃ′は円弧部、５ｄ，５ｄ′は係止爪、５ｅ，５ｅ′は係止溝、６，６′はリード線、７，７′はソケット、７ａ，７ａ′はピン挿入孔、８はカバー体、８ａはカバー本体部、８ｂはカバー連結部、８ｃは係止手段、８ｄは支持軸、８ｅは係止板、８ｆは弾性体、８ｇ，８ｇ′は係止穴、９，９′はケース本体、９ａは突部、９ｂは切欠、１０，１０′は軸部、１１，１１′は一対の電極板、１２，１２′は一対の係合板、１３，１３′は操作レバー、１４は取り付け金具、１５はライティングレール、１５ａはレール本体、１５ｂは導体支持部、１５ｃは導体用支持溝、１５ｄは線状導体、１５ｅは係止用溝、１５ｆは受け部、１５ｇは突条、１６は直管形ＬＥＤランプ、１６ａは管体、１６ｂは口金、１６ｃは端子ピン、１７は中間ホルダー、１８は取り付け部、１８ａは本体、１８ｂは軸部、１８ｃは係合板、１８ｄは操作レバー、１９はアーム部、２０は保持部、２１は取り付け部材、２２は定尺ワイヤ、２３は連結ソケット。
【図１】
0003179168.tif 000003
【図２】
0003179168.tif 000004
【図３】
0003179168.tif 000005
【図４】
0003179168.tif 000006
【図５】
0003179168.tif 000007
【図６】
0003179168.tif 000008
【図７】
0003179168.tif 000009
【図１６】
0003179168.tif 000010
【図２０】
0003179168.tif 000011
【図２１】
0003179168.tif 000012
【図２２】
0003179168.tif 000013
【図２３】
0003179168.tif 000014
【図２４】
0003179168.tif 000015
【図２５】
0003179168.tif 000016
【図２６】
0003179168.tif 000017
【図２７】
0003179168.tif 000018
【図２８】
0003179168.tif 000019
【図３４】
0003179168.tif 000020
【図３５】
0003179168.tif 000021
【図３６】
0003179168.tif 000022
【図８】
0003179168.tif 000023
【図９】
0003179168.tif 000024
【図１０】
0003179168.tif 000025
【図１１】
0003179168.tif 000026
【図１２】
0003179168.tif 000027
【図１３】
0003179168.tif 000028
【図１４】
0003179168.tif 000029
【図１５】
0003179168.tif 000030
【図１７】
0003179168.tif 000031
【図１８】
0003179168.tif 000032
【図１９】
0003179168.tif 000033
【図２９】
0003179168.tif 000034
【図３０】
0003179168.tif 000035
【図３１】
0003179168.tif 000036
【図３２】
0003179168.tif 000037
【図３３】
0003179168.tif 000038